(57)【特許請求の範囲】
【請求項１】
販売機本体に取り付けられ且つ上端部を中心としてバネ付勢されてはね上げ形式で開閉される第１のドアと、前記販売機本体に取り付けられ且つ左右の端部の一方を中心として開き戸形式で開閉される第２のドアとを備えた自動販売機の施錠装置であって、
該施錠装置は、前記第１のドアを前記第２のドアに係止および係止解除する第１のロック機構と、前記第２のドアを前記販売機本体に係止および係止解除する第２のロック機構と、第１段階の操作で前記第1のロック機構を係止解除させ、第２段階の操作で前記第２のロック機構を係止解除させる単一の解除操作機構と、前記解除操作機構の第１段階の操作から第２段階の操作への移行を阻止すると共に該阻止状態を手動で解除可能な操作規制機構とからなり、
前記第１のロック機構は、前記第１のドアの下端に固定される掛止金具と、前記第２のドアの上端に固定され、前記掛止金具を係止する掛止受金具と、前記第２のドアの上端にスライド自在に設けられる第１スライド金具とを有し、
前記操作規制機構は、前記第１のドアの下端に固定される係止金具に、バネ付勢されて揺動自在に設けられる下向きフックと、前記第１のスライド金具に固定される係止受け金具に設けられる上向きフックと掛止片とを有し、
前記解除操作機構の第１段階の操作で第１スライド金具を移行させることにより、掛止金具と掛止受金具との係止を解除させ、掛止片が下向きフックと当接して第1スライド金具の移行を阻止し、且つ、上向きフックが下向きフックと係合して第1のドアの開放を阻止し、手動で下向きフックを揺動させることにより、第1スライド金具および第１のドアの阻止状態を解除する自動販売機の施錠装置。
【請求項２】
販売機本体に取り付けられ且つ上端部を中心としてバネ付勢されてはね上げ形式で開閉される第１のドアと、前記販売機本体に取り付けられ且つ左右の端部の一方を中心として開き戸形式で開閉される第２のドアとを備えた自動販売機の施錠装置であって、
該施錠装置は、前記第１のドアを前記第２のドアに係止および係止解除する第１のロック機構と、前記第２のドアを前記販売機本体に係止および係止解除する第２のロック機構と、第１段階の操作で前記第1のロック機構を係止解除させ、第２段階の操作で前記第２のロック機構を係止解除させる単一の解除操作機構と、前記解除操作機構の第１段階の操作から第２段階の操作への移行を阻止すると共に、この阻止状態を手動で解除可能な操作規制機構とからなり、
前記第１のロック機構は、前記第１のドアの下端に固定される掛止金具と、前記第２のドアの上端に固定され、前記掛止金具を係止する掛止受金具と、前記第２のドアの上端にスライド自在に設けられる第１スライド金具とを有し、
前記操作規制機構は、前記第1スライド金具に固定される掛止片と、前記掛止受金具にバネ付勢されてスライド自在に設けられる解除レバーとを有し、
前記解除操作機構の第１段階の操作で第１スライド金具を移行させることにより、掛止金具と掛止受金具との係止を解除させ、掛止片が掛止金具と当接して第1スライド金具の移行を阻止し、且つ、解除レバーが掛止金具と当接して第1のドアの開放を阻止し、手動で解除レバーをスライドさせることにより、第1スライド金具および第１のドアの阻止状態を解除する自動販売機の施錠装置。
【発明の詳細な説明】
【０００１】
【産業上の利用分野】
本発明は、２つのドアを有する自動販売機の施錠装置に関するものである。
【０００２】
【従来の技術】
近年、缶飲料自動販売機として、商品収納部を開き戸形式で開閉するメインドアに加えて、商品投入口をはね上げ形式で開閉するローディングドアを備えたものがあり、この種の自動販売機では、商品の補充作業と集金作業を分離して行えるように、メインドアとローディングドアとを個々に施錠および解錠可能な施錠装置が設けられている。このような施錠装置において、本願出願人が先に出願したもの（特願平５−２０８９１１号）は、単一の錠前機構で、メインドアおよびローディングドアを施錠および解錠可能に構成されている。この錠前機構は、メインドアに設けられており、錠前装置の操作ハンドルを、キー操作で水平な定常状態から１段階突出させた後、４５度回動させると、ローディングドアのロックが解除され、続いて、更に１段階突出させた後、９０度回動させると、メインドアのロックが解除されるようになっている。
【０００３】
【発明が解決しようとする課題】
このような従来の施錠装置では、操作ハンドルを４５度回動させ（第１操作）た後突出させ、更に９０度回動させ（第２操作）る構造になっているが、操作ハンドルを手前に引きながらこの第１操作および第２操作を行うと、この両操作が連続に行われてしまう。特に、操作ハンドルは、メインドアのドアノブを兼ねているため、オペレータは、操作ハンドルを自然に手前に引いてしまい、第１操作と第２操作を連続して行ってしまう可能性がある。このように操作を行うと、ローディングドアとメインドアとがほぼ同時に開放され、ローディングドアとメインドアとの間に介在させたドアロック機構が損傷するおそれが生ずる。すなわち、ローディングドアとメインドアとが同時に開放されると、ドアロック機構のローディングドア側のロック金具と、メインドア側のロック受け金具とが、互いに異なる方向に移動し、相互に干渉し合って損傷してしまう。
【０００４】
本発明は、このような問題点を解決するためになされたものであり、単一の解除操作機構によりそれぞれロック解除される２枚のドアが、同時に開放されてしまうのを防止することができる自動販売機の施錠装置を提供することを目的としている。
【０００５】
【課題を解決するための手段】
この目的を達成するため、本発明の施錠装置は、販売機本体に取り付けられ且つ上端部を中心としてバネ付勢されてはね上げ形式で開閉される第１のドアと、前記販売機本体に取り付けられ且つ左右の端部の一方を中心として開き戸形式で開閉される第２のドアとを備えた自動販売機の施錠装置であって、該施錠装置は、前記第１のドアを前記第２のドアに係止および係止解除する第１のロック機構と、前記第２のドアを前記販売機本体に係止および係止解除する第２のロック機構と、第１段階の操作で前記第1のロック機構を係止解除させ、第２段階の操作で前記第２のロック機構を係止解除させる単一の解除操作機構と、前記解除操作機構の第１段階の操作から第２段階の操作への移行を阻止すると共に該阻止状態を手動で解除可能な操作規制機構とからなり、前記第１のロック機構は、前記第１のドアの下端に固定される掛止金具と、前記第２のドアの上端に固定され、前記掛止金具を係止する掛止受金具と、前記第２のドアの上端にスライド自在に設けられる第１スライド金具とを有し、前記操作規制機構は、前記第１のドアの下端に固定される係止金具に、バネ付勢されて揺動自在に設けられる下向きフックと、前記第１のスライド金具に固定される係止受け金具に設けられる上向きフックと掛止片とを有し、前記解除操作機構の第１段階の操作で第１スライド金具を移行させることにより、掛止金具と掛止受金具との係止を解除させ、掛止片が下向きフックと当接して第1スライド金具の移行を阻止し、且つ、上向きフックが下向きフックと係合して第1のドアの開放を阻止し、手動で下向きフックを揺動させることにより、第1スライド金具および第１のドアの阻止状態を解除することを特徴とする。
【０００６】
この場合、解除操作機構は、第２のドアに進退自在に設けられ、第１のロック機構を解除操作するスライド金具を有し、操作規制機構は、第１のドアに固定された係止金具と、スライド金具に固定された係止受け金具とを有し、係止金具は、第１段階の操作で係止受け金具に係止されると共に、この係止状態を手動で解除可能に構成されていることが、好ましい。
【０００７】
また、本発明の施錠装置は、販売機本体に取り付けられ且つ上端部を中心としてバネ付勢されてはね上げ形式で開閉される第１のドアと、前記販売機本体に取り付けられ且つ左右の端部の一方を中心として開き戸形式で開閉される第２のドアとを備えた自動販売機の施錠装置であって、該施錠装置は、前記第１のドアを前記第２のドアに係止および係止解除する第１のロック機構と、前記第２のドアを前記販売機本体に係止および係止解除する第２のロック機構と、第１段階の操作で前記第1のロック機構を係止解除させ、第２段階の操作で前記第２のロック機構を係止解除させる単一の解除操作機構と、前記解除操作機構の第１段階の操作から第２段階の操作への移行を阻止すると共に、この阻止状態を手動で解除可能な操作規制機構とからなり、前記第１のロック機構は、前記第１のドアの下端に固定される掛止金具と、前記第２のドアの上端に固定され、前記掛止金具を係止する掛止受金具と、前記第２のドアの上端にスライド自在に設けられる第１スライド金具とを有し、前記操作規制機構は、前記第1スライド金具に固定される掛止片と、前記掛止受金具にバネ付勢されてスライド自在に設けられる解除レバーとを有し、前記解除操作機構の第１段階の操作で第１スライド金具を移行させることにより、掛止金具と掛止受金具との係止を解除させ、掛止片が掛止金具と当接して第1スライド金具の移行を阻止し、且つ、解除レバーが掛止金具と当接して第1のドアの開放を阻止し、手動で解除レバーをスライドさせることにより、第1スライド金具および第１のドアの阻止状態を解除することを特徴とする。
【０００８】
【作用】
請求項１の施錠装置によれば、解除操作機構の第１段階の操作から第２段階の操作への移行を阻止すると共に、この阻止状態を解除可能な操作規制機構を備えることにより、第１段階の操作により第１のロック機構を係止解除させると、操作規制機構により、続く第２のロック機構を係止解除させる第２段階の操作が阻止される。このため、第２段階の操作に移行させるためには、操作規制機構の移行阻止状態を解除する必要がある。すなわち、解除操作機構の第１段階の操作と第２段階の操作とが瞬時に連続して行われることがない。これにより、はね上げ形式の第１のドアと開き戸形式の第２のドアが、互いに異なる方向に同時に開放されることがなくなり、それに起因する第１および第２のドアの損傷を防止することができる。
【０００９】
そして、解除操作機構の第１段階の操作を行うと、第１のスライド金具が移動して、第１のスライド金具に固定した操作規制機構の係止受け金具が、第１のドアに固定した操作規制機構の係止金具に係止される。このため、係止金具と係止受け金具との係止状態を手動で解かない限り、解除操作機構の第１段階の操作から第２段階の操作への移行が不可能となり、第１段階の操作と第２段階の操作とが連続して行われるのを防止することができる。
【００１０】
また、請求項２の施錠装置によれば、解除操作機構の第１段階の操作により移動した、第１のスライド金具は、掛止片の部分で第１のドアに固定した第１のロック機構の掛止金具に掛止される。このため、解除レバーにより掛止片と掛止金具との掛止を手動で解かない限り、解除操作機構の第１段階の操作から第２段階の操作への移行が不可能となり、第１段階の操作と第２段階の操作とが連続して行われるのを防止することができる。
【００１１】
【実施例】
以下、本発明の好ましい実施例を、図面を参照しながら、詳細に説明する。図１は、本発明の施錠装置を組み込んだ缶飲料自動販売機の正面図、図２は、その要部を示す斜視図である。これらの図に示すように、この自動販売機１は、販売機本体２と、販売機本体２の正面を互いに独立して開閉する下ドア（メインドア）３および上ドア（ローディングドア）４とを有している。下ドア（第２のドア）３は、販売機本体２内に設けられた商品収納庫、内部機器やコインメカニズムなどを開放するものであり、販売機本体２の左前端部を中心として、開き戸形式で開閉される。上ドア（第１のドア）４は、販売機本体２の上部に形成された商品投入口（図示せず）を開閉して商品の補充を行うためのものであり、販売機本体２の上端部を中心として、はね上げ式で開閉される。そして、両ドア３、４は、後述する施錠装置１６により、一括してロックされるようになっている。
【００１２】
自動販売機１の正面には、上ドア４から下ドア３の上半部にわたって、メーカー名などが印刷された看板部５が形成され、看板部５の右半部にはディスプレイ部６が設けられている。また、下ドア３の正面には、ディスプレイ部６の下側に接客部７が、下部に商品取出口８が、接客部７の右横に錠前機構９が、それぞれ設けられている。ディスプレイ部６は、左右に各６個並んだ上下３列の商品サンプル１０と、各商品サンプル１０に対応してその下に設けられた上下３列の選択ボタン１１とから成り、商品サンプル１０および選択ボタン１１は、上１列が上ドア４に、下２列が下ドア３に配置されている。接客部７には、コイン投入口１２、紙幣投入口１３、返却レバー１４および表示器１５が設けられている。
【００１３】
錠前機構９は、本発明に係る施錠装置１６の一部を構成するものであり、この施錠装置１６は、図２に示すように、下ドア３を施錠する下ドアロック機構（第２のロック機構）１７と、上ドア４を施錠する上ドアロック機構（第１のロック機構）１８と、両ロック機構１７，１８の解錠を行う前記錠前機構（解除操作機構）９と、錠前機構の操作を強制的に２段階操作となるように規制する操作規制機構１９によって構成されている。後述するように、この施錠装置１６では、錠前機構９が２段階で操作できるように構成され、１段階目の操作で上ドア４のみを解錠し、操作規制機構１９の操作を前提とする次の２段階目の操作で、さらに下ドア３を解錠するようになっている。
【００１４】
下ドアロック機構１７は、図２および図３に示すように、販売機本体２に固定された上下一対の固定金具２１、２１と、下ドア３に取り付けられ、固定金具２１，２１に係合して、下ドア３を販売機本体２に係止する下ドア用スライド金具２２とによって構成されている。各固定金具２１は、販売機本体２の右側壁内面から前方に突出した板状のものであり、その上下部を切り欠くことにより、係止部２３が形成されている。
【００１５】
下ドア用スライド金具２２は、上下方向に延びる帯状の板で構成され、下ドア３の裏面に、上下方向にスライド自在に取り付けられている。下ドア用スライド金具２２には、各固定金具２１に対応する位置に、固定金具２１よりも上下方向寸法が若干大きな上下一対の開口２４，２４が形成されている。そして、下ドア用スライド金具２２は、上下方向にスライドすることにより、各開口２４の縁部が各固定金具２１の係止部２３内に入り込んで、下ドア３を係止する係止位置と、各開口２４の両縁部が各固定金具２１の係止部２３から退避して、下ドア３の係止を解除する係止解除位置とをとることができるようになっている。また、下ドア用スライド金具２２は、中央付近に、左方に張り出したフランジ部２５を有し、このフランジ部２５に矩形孔２６が形成されている。
【００１６】
一方、上ドアロック機構１８は、上ドア４に設けられた左右一対の掛金３１，３１と、下ドア３に設けられ、掛金３１，３１にそれぞれ係合して、上ドア４を下ドア３に係止する一対のロックアセンブリ３２，３２と、錠前機構９の操作に連動して、ロックアセンブリ３２の係止状態を解除するリンク機構３３とによって構成されている。
【００１７】
各掛金３１は、上ドア４の下面に突出して形成された門形のものであり、その脚部がロックアセンブリ３２に係止される。各ロックアセンブリ３２は、掛金３１に対応して下ドア３の上枠上面に固定されており、特に図示しないが、ケース内にリンク機構３３の進退に連動して、掛金３１を係止および係止解除する機構が内蔵されている。
【００１８】
リンク機構３３は、図２および図３に示すように、下ドア３の上端部にスライド自在に取り付けられた第１スライド金具３４と、下ドア３の右側端部にスライド自在に取り付けられた第２スライド金具３５と、両スライド金具３４、３５を互いに連結して連動させる連結金具３６とによって構成されている。第１スライド金具３４は、左右方向に延びる帯状の板で構成され、下ドア３の上枠の下側に配置されている。また、第１スライド金具３４の上面には、ロックアセンブリ３２を作動させるピン受け部（図示せず）が形成されている。
【００１９】
一方、リンク機構３３の第２スライド金具３５は、下ドア用スライド金具２２と同様に、上下方向に延びる帯状の板で構成され、下ドア３の裏面と下ドア用スライド金具２２との間に、上下方向にスライド自在に取り付けられている。連結金具３６は、Ｌ字形の板材で構成されており、下ドア４の右上端部に回動自在に取り付けられている。このような構成により、第２スライド金具３５の上下方向の移動によって、第１スライド金具３４が左右方向に移動し、ロックアセンブリ３２が解除操作される。なお、第２スライド金具３５は、コイルばね（図示せず）により上方に付勢されており、これに伴って、第１スライド金具３４は、図示の左方に付勢されている。
【００２０】
また、第２スライド金具３５は、下ドア用スライド金具２２と同様に、上下一対の開口３７，３７を有しており、上下方向へのスライドにより、固定金具２１の係止部２３に係合して下ドア３を係止する係止位置と、係止部２３から外れて下ドア３の係止を解除する係止解除位置をとることができるようになっている。さらに、第２スライド金具３５は、中央付近に、左方に張り出したフランジ部３８を有し、このフランジ部３８に、左右方向の延びる長孔３９が形成されている。
【００２１】
錠前機構９は、図４に示すように、鍵穴４１を有するシリンダ４２と、シリンダ４２を挿通したハンドル４３とによって構成されており、常時は、下ドア３の正面に形成された収納穴４４に収納されている。錠前機構９は、鍵穴４１に鍵（図示せず）を差し込んでシリンダ４２を約４５度回すと、収納穴４４から前方に１段階、突出し、シリンダ４２をさらに約９０度（計１３５度）回すと、さらに２段階目まで突出するとともに、１段階目の突出状態では、時計回りに約４５度まで回動でき（第１回動操作）、２段階目の突出状態では、さらに約９０度（計１３５度）まで回動する（第２回動操作）ように構成されている。
【００２２】
ハンドル４３の背面には、下ドア解錠用の第１駆動ピン４５と、上ドア解錠用の第２駆動ピン４６とが、周方向に互いに約１３５度の角度をなして、突設されている。第１駆動ピン４５は、下ドア用スライド金具２２のフランジ部２５の矩形孔２６に、遊びをもって係合し、第２駆動ピン４６は、第２スライド金具３５のフランジ部３８の長孔３９に、ほとんど遊びなく係合しており、このような構成により、ハンドル４３を４５度回転させて第１回動操作を行うと、第２スライド金具３５のみが駆動され、続いてハンドル４３を９０度回転させて第２回動操作を行うと、第２スライド金具３５および下ドア用スライド金具２２が駆動される。
【００２３】
次に、上述した構成の施錠装置１６の動作について説明する。まず、施錠装置１６の施錠状態について説明する。この状態では、錠前機構９のハンドル４３は、下ドア３の収納穴４４に収納されている（図４（ａ）参照）。また、下ドアロック機構１７の下ドア用スライド金具２２は、図３（ａ）に示すように、下降した係止位置にあり、各開口２４の縁部が、対応する固定金具２１の係止部２３に上方から入り込んでこれに係合している。同様に、上ドアロック機構１８の第２スライド金具３５は、上昇した係止位置にあり、各開口３７の縁部が、固定金具２１の係止部２３に下方から入り込んでこれに係合している。このように、下ドア３は、下ドア用スライド金具２２および第２スライド金具３５と固定金具２１との二重の係合によって、販売機本体２に係止され、施錠されている。
【００２４】
また、上ドアロック機構１８の第１スライド金具３４は、第２スライド金具３５および連結金具３６を介して、左方に付勢されており、掛金３１に対しロックアセンブリ３２を係止位置に移動させている。すなわち、ロックアセンブリ３２により、掛金３１の離脱が阻止されて、上ドア４が施錠されている。
【００２５】
次に、施錠装置１６の解錠動作を説明する。まず、上述した施錠状態から、錠前機構９のシリンダ４２を約４５度キー操作すると、ハンドル４３が収納穴４４から前方に１段階、突出する。次いで、ハンドル４３を時計方向に約４５度回して第１回動操作を行うと、第２スライド金具３５が、押し下げられる（図４（ｂ）参照）。この第２スライド金具３５の下方への移動に伴い、第１スライド金具３４が右方に移動し（図３（ｂ）参照）、掛金３１に対するロックアセンブリ３２の係止が解かれる。これにより、上ドア４の係止状態が解除され、上ドア４を下ドア３に対して開くことが可能になる。一方、ハンドル４３の上述した操作では、下ドア用スライド金具２２はまったく移動せず、下ドア３は施錠状態に保持される（図３（ｂ）参照）。
【００２６】
この状態から、錠前機構９をさらに約９０度（計１３５度）キー操作すると、ハンドル４３がさらに前方に、２段階目まで突出する（図４（ｃ）参照）。次いで、突出したハンドル４３を時計方向にさらに約９０度（計１３５度）回して第２回動操作を行うと、下ドア用スライド金具２２が、図３（ｃ）に示す係止解除位置まで押し上げられる。この係止解除位置では、下ドア用スライド金具２２の開口２４の縁部が、固定金具２１の係止部２３から完全に外れて、固定金具２１を解放する。また同時に、第２スライド金具３５が、さらに押し下げられてその係止解除位置に達し、その開口３７の縁部が、固定金具２１の係止部２３から完全に外れて、固定金具２１を解放する。この結果、下ドア３が解錠され、下ドア３を販売機本体２に対して開くことが可能になる。
【００２７】
ここで本実施例の特徴部分である操作規制機構について詳細に説明する。操作規制機構１９は、図２に示すように、上ドア４に固定した係止金具５１と、下ドア３に固定した係止受け金具５２とで構成されており、いずれも両ドア３，４の左右の中間位置に配設されている。図５および図６に示すように、係止金具５１は、ホルダー５３と、ホルダー５３に回動自在に取り付けられた下向きフック５４と、下向きフック５４を下方に付勢する板ばね５５とで構成されている。また、係止受け金具５２は、ホルダー５６と、ホルダー５６に摺動自在に載置した上向きフック５７とで構成されており、上向きフック５７は前記第１スライド金具３４にビス止めされている。上向きフック５７の左端には、掛止片５８が立設されており、図５（ａ）に示すように、この掛止片５８と下向きフック５４の左端とは、第１回動操作に伴う第１スライド金具３４のスライド量に相当する距離、離れている。
【００２８】
図５（ａ）および図６（ａ）に示す施錠状態から、ハンドル４３を第１回動操作すると、上ドア４が解錠されると共に前方に押し出され、係止金具５１の下向きフック５４が、係止受け金具５２の上向きフック５７に係止される（図６（ｂ）参照）。また同時に、第１スライド金具３４を介して、上向きフック５７がスライドし、下向きフック５４と掛止片５８が当接する（図５（ｂ）参照）。すなわち、上ドア４が開きかけた状態でその開放を阻止されると共に、第１スライド金具３４を介して、ハンドル４３の操作が規制される。この状態から、下向きフック５４を手動で押し上げ、下向きフック５４と上向きフック５７との係止を解くと共に、下向きフック５４と上向きフック５７の掛止片５８との係合を解くことにより、第１スライド金具３４がスライド可能になって上ドア４の全開が可能になると共に、下ドア３を開放するハンドル４３の第２回動操作が可能になる。
【００２９】
以上のように、本実施例の施錠装置１６によれば、ハンドル４３を第１回動操作から第２回動操作に移行するときに、操作規制機構１９の下向きフック５４を押し上げる操作が不可欠となる。すなわち、ハンドル４３の第１回動操作と第２回動操作とを連続して行うことができない構造になっている。したがって、上ドア４と下ドア３とがほぼ同時に開放されてしまうことがなく、上ロック機構１８の掛金３１やロックアッセンブリ３２を損傷するなどの不具合を防止することができる。また、上ドア４が開きかけた状態でいったん停止するので、上ドア４を開放するためのばねを設けても、上ドア４を安全に開放することができる。
【００３０】
次に、図７を参照して操作規制機構の第２実施例について説明する。同図に示すように、この操作規制機構２０は、左側のロックアッセンブリ（掛止受金具）３２に併設されており、ロックアッセンブリ３２にスライド自在に組み込まれた解除レバー６１と、解除レバー６１を付勢するコイルスプリング６２と、第１スライド金具３４の先端に取り付けられた掛止片６３とで構成されている。解除レバー６１は、掛金（掛止金具）３１を導くロックアッセンブリ３２の導入スリット４０に突出するように付勢され、開きかけた上ドア４の掛金３１が導入スリット４０から引き抜かれるのを阻止する。この状態で、掛止片６３は、掛金３１に当接しその移動を規制される。
【００３１】
すなわち、図７（ａ）に示す施錠状態から、ハンドル４３を第１回動操作すると、上ドア４が解錠されると共に前方に押し出され、掛金３１が解除レバー６１に突き当たる。また同時に、第１スライド金具３４を介して、掛止片６３がスライドし、掛金３１に当接する（図７（ｂ）参照）。これにより、第１スライド金具３４がスライド不能になって上ドア４が開きかけた状態でその開放を阻止されると共に、第１スライド金具３４を介して、ハンドル４３の操作が規制される。この状態から、解除レバー６１を手動でスライドさせ、解除レバー６１を掛金３１から外ことにより、上ドア４の全開が可能になり、さらに上ドア４を開放すると、掛止片６３から掛金３１が外れ、下ドア３を開放するハンドル４３の第２回動操作が可能になる。
【００３２】
以上のように、第２本実施例においても、ハンドル４３を第１回動操作から第２回動操作に移行するときに、操作規制機構１９の解除レバー６１の操作が不可欠となり、ハンドル４３の第１回動操作と第２回動操作とを連続して行うことができない構造になっている。したがって、上ドア４と下ドア３とがほぼ同時に開放されてしまうことがなく、上ロック機構の１８の掛金３１やロックアッセンブリ３２を損傷するなどの不具合を防止することができる。
【００３３】
なお、本発明は、上述した実施例に限られることなく、種々の態様で実施することができる。例えば、操作規制機構を錠前機構や下ロック機構の部分に組み込むことも可能である。
【００３４】
【発明の効果】
以上詳述したように、本発明の施錠装置によれば、操作規制機構により、解除操作機構の第１段階操作から第２段階操作への移行をいったん阻止するようにしているので、第１段階操作と第２段階操作とが連続して行われることがなく、２枚のドアがほぼ同時に開放されてしまうの防止することができる。したがって、第１ロック機構の破損を有効に防止することができるなどの効果を有するものである。
【図面の簡単な説明】
【図１】本発明の施錠装置を組み込んだ自動販売機の正面図である。
【図２】本発明の施錠装置の構造を示す自動販売機の斜視図である。
【図３】施錠装置の下ドアロック機構およびリンク機構の動作を説明する正面図である。
【図４】施錠装置の錠前機構の構成および動作を示す説明図である。
【図５】施錠装置の操作規制機構の構成および動作を示す正面図である。
【図６】施錠装置の操作規制機構の構成および動作を示す裁断側面図である。
【図７】第２実施例に係る操作規制機構の構成および動作を示す平面図である。
【符号の説明】
１  自動販売機
２  販売機本体
３  下ドア
４  上ドア
９  錠前機構
１７  下ドアロック機構
１８  上ドアロック機構
１９  操作規制機構
３１  掛金
３２  ロックアッセンブリ
３４  第１スライド金具
４３  ハンドル
５１  係止金具
５２  係止受け金具
６１  解除レバー
６３  掛止片
【図１】
0003914271.tif 000002
【図２】
0003914271.tif 000003
【図３】
0003914271.tif 000004
【図４】
0003914271.tif 000005
【図５】
0003914271.tif 000006
【図６】
0003914271.tif 000007
【図７】
0003914271.tif 000008